(57)【要約】診断カセットは、製品をコンピュータデバイスに物理的且つ電気的に接続するための基板と、診断カセットにより処理するための体液サンプルを受容するための、基板内に画定されたリザーバと、診断カセットにより体液サンプルの処理を可能にするための溶液を作成するために、リザーバ内に入れられた体液サンプルと反応するための試薬と、溶液を導くためのチャネルと、チャネルを通過する溶液の多数のパラメータを測定するためのセンサとを含む。マイクロ流体サンプルを測定するための方法は、リザーバにおいて、測定されるべき体液サンプルを受容し、体液サンプルを試薬と混合して溶液を作成し、チャネルを介して溶液を移動させ、溶液がチャネルを通過する際、センサを用いて溶液を測定することを含む。【選択図】  図２
2017520776.tif 000002
【特許請求の範囲】
【請求項１】
診断カセットであって、
製品をコンピュータデバイスに物理的かつ電気的に接続するための基板と、
前記診断カセットにより処理するための体液サンプルを受容するための、前記基板内に画定されたリザーバと、
前記診断カセットにより体液サンプルの処理を可能にするための溶液を作成するために、前記リザーバ内に入れられた体液サンプルと反応するための試薬と、
前記溶液を導くためのチャネルと、
前記チャネルを通過する前記溶液の多数のパラメータを測定するためのセンサとを含む、診断カセット。
【請求項２】
前記チャネルが、前記溶液を作成するために前記サンプルと前記試薬との間の拡散に影響を及ぼすような大きさになっている、請求項１に記載の製品。
【請求項３】
前記試薬が、前記センサによる要素の測定を可能にするために前記サンプルの要素と反応する、請求項１に記載の製品。
【請求項４】
前記試薬は、前記体液サンプルが入れられる前に前記リザーバに加えられる、請求項１に記載の製品。
【請求項５】
前記試薬が前記チャネルに加えられる、請求項１に記載の製品。
【請求項６】
異なる試薬化合物が、デバイスの異なる部分に加えられる、請求項５に記載の製品。
【請求項７】
前記センサが、前記溶液の要素の誘導的特性を測定することにより前記要素を検出する、請求項１に記載の製品。
【請求項８】
前記センサが、前記溶液の要素のインピーダンスを測定することにより前記溶液の要素を検出する、請求項１に記載の製品。
【請求項９】
前記チャネルが、前記溶液の進行を遅くして前記試薬との反応時間を増加させるように形成されている、請求項１に記載の製品。
【請求項１０】
マイクロ流体サンプルを測定するための方法であって、
リザーバにおいて、測定されるべき体液サンプルを受容し、
前記体液サンプルを試薬と混合して溶液を作成し、
チャネルを介して前記溶液を移動させ、
前記溶液が前記チャネルを通過する際、センサを用いて前記溶液を測定することを含む、方法。
【請求項１１】
前記チャネルを介して前記溶液を移動させることが、前記溶液に印加される圧力により達成される、請求項１０に記載の方法。
【請求項１２】
前記チャネルを介して前記溶液を移動させることが、前記チャネルに印加される吸引力を通じて達成される、請求項１０に記載の方法。
【請求項１３】
体液サンプルのパラメータを測定するためのコンピュータプログラム製品であって、
組み入れられたコンピュータ使用可能プログラムコードを含むコンピュータ可読記憶媒体を含み、前記コンピュータ使用可能プログラムコードが、
プロセッサにより実行された際、診断プロセスを開始するためにリザーバからサンプルをポンピングするためのコンピュータ使用可能コードと、
プロセッサにより実行された際、前記診断プロセスを容易にするための溶液を作成するために、試薬に前記サンプルを拡散するためのコンピュータ使用可能コードと、
プロセッサにより実行された際、前記溶液の多数のパラメータを測定するセンサから測定値を読み出すためのコンピュータ使用可能コードと、
プロセッサにより実行された際、前記溶液の多数のパラメータの測定値に基づいて結果を計算するためのコンピュータ使用可能コードとを含む、コンピュータプログラム製品。
【請求項１４】
プロセッサにより実行された際、体液サンプルの要素の選別を行うように前記センサをプログラムするためのコンピュータ使用可能コードを更に含む、請求項１３に記載のコンピュータプログラム製品。
【請求項１５】
プロセッサにより実行された際、体液サンプルの選別された要素を更に処理するように診断カセットを構成するためのコンピュータ使用可能コードを更に含む、請求項１４に記載のコンピュータプログラム製品。
【発明の詳細な説明】
【技術分野】
【０００１】
背景
ヒト免疫不全ウイルス（ＨＩＶ）を検出するために使用されるような、体液サンプルを検査するための診断装置システム及び方法は、広範囲の複雑性を有する。幾つかのデバイス及び方法は、冷凍、試薬、顕微鏡、血球計、目盛り付きピペット、及び試験管を使用する。更に、熟練技術者がサンプルを準備して、結果を手作業でカウント（計数）する。
【０００２】
体液サンプルを検査するための別の方法は、蛍光活性化細胞選別を使用する流動細胞計測法（フローサイトメトリ）である。この例において、サンプルは、細胞を蛍光標識する抗体と共に準備される。サンプルは、分析する準備が整う前にインキュベートされる。システムにおいて一度、サンプルは励起レーザビームを通過する。当該ビームを通過する細胞からの散乱光が、集光され、フィルタリングされて電気信号に変換される。また、サンプルは、分析のために増幅され、デジタル化されて格納される。シース液の流れ（sheath flow）と称する流体力学的絞り込み及び音響学のような方法は、細胞が一つずつビームを通過することを確実にするために使用される。
【０００３】
携帯型サイトメータ（cytometer）は類似した技術を使用する。この例において、サンプル（試料）が採取され、特定の細胞を蛍光標識する試薬と混合される。サンプルは、レーザビームを通過し、散乱光の総量が集光されて電気信号に変換され、当該電気信号を用いてサンプル中の標識された細胞の数を測定することができる。
【０００４】
添付図面は、本明細書で説明される原理の様々な例を示し、本明細書の一部をなす。当該例は、特許請求の範囲の範囲を制限しない。
【図面の簡単な説明】
【０００５】
【図１】本明細書で説明される原理の一例による、体液サンプルを検査するための装置の断面図である。
【図２】本明細書で説明される原理の一例による、図１の装置の図である。
【図３】本明細書で説明される原理の一例による、保護シェルが取り外された状態にある図１の装置の図である。
【図４】本明細書で説明される原理の一例による、図１の装置のセンサ内で蒙った電界の例図である。
【図５】本明細書で説明される原理の一例による、図１の装置のセンサにより観測され得るような変化するインピーダンスのグラフである。
【図６】本明細書で説明される原理の一例による、センサのブロック図である。
【図７】本明細書で説明される原理の一例による、サンプルを測定するための方法に関する流れ図である。
【図８】本明細書で説明される原理の一例による、サンプルを測定するためのコンピュータデバイスの図である。
【０００６】
図面の全体にわたって、同じ参照符号は、類似しているが必然的に同じでない要素を示す。
【０００７】
詳細な説明
複雑で高価な医療診断装置は、多くの医療サービス提供者にとって法外な費用がかかり人材配置も法外に高くなる可能性がある。この診断装置は、十分な予算とスタッフを有する病院および研究所に配置されることが多い。遠隔地は、この装置を備えた病院または研究室を利用することができない。サービスと診断装置が離れていることにより、コストが増大または検査を行わないようにする可能性がある。簡易化された正確な診断検査をポイントオブケアで提供することにより、この検査を利用できることを遠隔地に広げることができる。
【０００８】
幾つかのポイントオブケア診断検査の解決法は、診断装置を使用する前にサンプルを準備する。この準備は、体液サンプルを試薬と混合して、或る期間にわたって当該溶液をインキュベートすることができる。試薬は、診断デバイスにより検出されるべき細胞を蛍光マーキングすることができる。この特徴のデバイスは、ポンピングのような何らかの形態の外力を更に使用して、細胞が測定され得るようにデバイスの中を通って細胞を移動させることができる。
【０００９】
生細胞は、生物の基本的な構造的および機能的ユニットである。動物細胞および植物細胞の大部分は、１〜１００μｍのサイズの範囲にわたり、生体の健康情報を包含する。細胞を用いた診断は、ＨＩＶ、マラリア、及び結核のような感染性疾患を検出するためのゴールドスタンダード（至適基準）である。また、細胞を用いた診断は、癌、心臓疾患、及び自己免疫不全症候群のような、慢性疾患のスタンダードである。
【００１０】
サンプルを受容し、サンプルと試薬からなる溶液を作成し、チャネルの中を通って当該溶液を移動させ、センサを通過させて、センサからの測定値を読み取るための能力は、単一のデバイス上へ集積化され得る。当該デバイスは、単一の使用のために構築され得るか、又は複数回の使用のために構築され得る。当該デバイスは、パーソナルコンピュータ、ノート型パソコン、タブレット、スマートフォン、又は他の類似のデバイスのようなコンピュータデバイスに接続され得る。コンピュータデバイスを用いて、診断デバイスの構成要素を制御する、及び／又はサンプルの測定速度を制御することができる。また、コンピュータデバイスを用いて、診断デバイスのセンサから取得された測定値を読み取って表示することができる。
【００１１】
本システム及び方法は、製品をコンピュータデバイスに物理的且つ電気的に接続するために使用される基板を含むデバイスを説明する。リザーバが、デバイスにより測定されるべき体液サンプルを受容するために、基板に設けられ得る。一例において、第２のリザーバが、体液サンプルの測定を可能にするために体液サンプルと反応するための試薬を受容するために使用され得る。別の例において、同じリザーバが、体液サンプルと試薬の双方を受容することができる。異なる例において、リザーバは体液サンプルを受容することができるが、デバイスの他の部分は体液サンプルに加えるための試薬を収容することができる。
【００１２】
試薬は、体液サンプルの処理を可能にするために様々な機能を実行することができる。例えば、試薬は、体液サンプルの要素（element：元素、成分）と反応する化合物を含むことができる。この例において、デバイスは、当該反応の特質を測定する。試薬は、体液サンプルにおける自然な反応を防止するための化合物を含むことができる。例えば、試薬は、サンプルの測定前の凝固を防止するための抗凝固剤を含むことができる。また、試薬は、体液サンプル中の粒子のより正確な測定を可能にするために体液サンプルを希釈する働きもすることができる。多数の試薬が、デバイスの多数の異なる領域に加えられて、体液サンプルの多数の特質の測定を可能にすることができる。
【００１３】
サーマルインクジェット抵抗およびインピーダンスセンサを適合させる幾つかのマイクロ流体およびインピーダンス検出設計は、マイクロ流体サンプルの有効な測定を可能にするために、本システム内に含められ得る。サーマルインクジェット抵抗を用いて、マイクロ流体チャネルにおいて流体（体液）と粒子を循環させる。
【００１４】
チャネルのような微細構造体を用いて、異なるサイズの細胞をデバイスの異なる領域に導くことができ、それにより粒子の分離と濾過作用が可能になる。微細構造体を用いて、体液サンプルと試薬との間の密接な接触に影響を及ぼすことにより、体液サンプルと試薬との間の拡散に影響を及ぼすことができる。また、微細構造体は体液サンプルと試薬からなる溶液の移動に影響を及ぼすように形成されて、体液サンプルと試薬との間の反応時間を与えることができる。
【００１５】
インピーダンス検出回路は、インピーダンスのシグニチャーを用いて、流体のタイプ（種類）を検出し細胞をカウントすることができる。チャネル内マイクロインピーダンスセンサの周波数掃引は、異なる流体の一意の応答を特徴付ける。一定周波数において、細胞がセンサを通り過ぎる間に検出されたインピーダンス応答は、細胞の健康状態、タイプ、及びサイズ、又はこれら及び他の特質の組み合わせに関する情報を提供することができる。サーマルインクジェット抵抗のようなポンプは、体液サンプルを循環させてインピーダンスセンサ上での細胞の移動を確実にするために使用され得る。具現化形態に応じて、細胞がセンサを通過した後、細胞は、選別（分類）されて再測定され、分配され、連続的に循環され、又はリザーバに蓄積されることを可能にすることができる。
【００１６】
センサは、体液サンプルの特徴、試薬、及び定められている特性に基づいて体液サンプルの他の特質を測定するために使用され得る。例えば、本システムは、サンプルの溶液中の細胞のインピーダンスを測定することができる。異なる例は、細胞の誘導的特質を測定することができる。別の例は、細胞のサイズに基づいて細胞をカウントすることができる。センサが生成するいくらでもある特質は、体液サンプルの特質を測定するためにデバイスにより使用され得る。
【００１７】
また、本明細書で説明される原理に従って構築されたデバイスを制御する方法が、本明細書で説明される。方法は、デバイスのリザーバに体液サンプルを入れることを含むことができる。体液サンプルは、処理するための溶液を作成するために試薬と混合され得る。次いで、溶液はチャネルを介して移動し、センサを通過する。溶液がセンサを通過する際、センサは溶液の特質または溶液中の細胞を測定する。溶液は、流体への圧力を用いて移動するか、又は吸引力を用いて移動することができる。
【００１８】
コンピュータデバイスは、サンプルのパラメータを測定することができる。コンピュータデバイスは、診断プロセスを開始するためにリザーバからサンプルをポンピングするモジュールを含む。異なるモジュールは、診断プロセスを容易にするために体液サンプルと試薬との間の拡散を制御する。別のモジュールは、溶液の特質を測定するセンサからの測定値を読み出す。センサからの測定値に基づいて、別のモジュールは結果を計算する。
【００１９】
コンピュータデバイスは、体液サンプル内の要素の選別を制御するモジュールを含むことができる。また、コンピュータ製品は、より多くの情報を得るために、選別された要素を更に処理するようにデバイスを操作するためのコードを含むことができる。
【００２０】
本明細書および添付の特許請求の範囲において使用される限り、用語「多数」または類似の言い回しは、１を含む任意の正数から無限大までを含むことができ、一方でゼロは数ではないが、数が存在しない。
【００２１】
以下の説明において、説明のために、多くの特定の細部が、本システム及び方法の完全な理解を提供するために記載される。しかしながら、当業者には明らかなように、本装置、システム、及び方法は、これら特定の細部を用いずに実施され得る。明細書における「例」又は類似の言い回しに対する言及は、その例に関連して説明された特定の特徴要素、構造、又は特性が、説明されたように含まれるが他の例に含まれることができないことを意味する。
【００２２】
さて、図面を参照すると、図１は、本明細書で説明される原理の一例による、診断カセット（１００）の例に関する図である。説明されるように、診断カセット（１００）は、サンプルを受容するための多数のサンプルリザーバ（１０１）、多数の試薬リザーバ（１０２）、多数のマイクロチャネル（１０３）、多数のセンサ（１０５）、多数のポンプ（１０８）、基板（１０７）、コンピュータポート（１０６）及びハウジング（１０４）を含むことができる。
【００２３】
サンプルリザーバ（１０１）は、処理のために診断カセット（１００）の中へサンプルを受け入れることができる。サンプルは、診断されている被験者から直接的に受容され得るか、又はより大きいサンプルの一部として受容され得る。サンプルリザーバ（１０１）は、被験者からサンプルを抽出するために、針またはランセットのような機構を含むことができる。サンプルリザーバは、露出された状態のままにすることができるか、又はサンプルが取得される前および／または後での格納のためのカバーを含むことができる。
【００２４】
試薬リザーバ（１０２）は、サンプルリザーバ（１０１）から分離され得る。診断カセット（１００）は、試薬が試薬リザーバ（１０２）に存在する状態で製造され得る。試薬は、液体の形態をとることができるか、又は粉末または他の物質とすることができる試薬リザーバ（１０２）は、取り除かれてもよく、試薬がサンプルリザーバ（１０１）のサンプルに加えられ得る。
【００２５】
試薬リザーバ（１０２）は、体液サンプルと試薬の拡散が何時およびどのような速度で生じるべきかを制御するために体液サンプルから離れて試薬を保持することができる。一例において、試薬および体液サンプルは、サンプルリザーバ（１０１）内にサンプルを受容する前に混ぜ合わせられ得る。
【００２６】
マイクロチャネル（１０３）は、サンプルリザーバ（１０１）に接続して、診断プロセスへと体液サンプルを移動できることを可能にする。サンプルリザーバ（１０１）からマイクロチャネル（１０３）へ体液サンプルが移動できることは、例えばマイクロチャネル（１０３）と流体連絡して配置されたポンプ（１０８）により発生した吸引力を通じて行うことができる。
【００２７】
また、マイクロチャネル（１０３）は、試薬リザーバ（１０２）に接続して、試薬リザーバから試薬が移動できることを可能にすることができる。体液サンプル及び試薬は、サンプルリザーバ（１０１）、試薬リザーバ（１０２）、別のリザーバ、又はマイクロチャネル（１０３）の何れかにおいて混ぜ合わせされ得る。
【００２８】
マイクロチャネル（１０３）は、体液サンプルと試薬との間の接触の速度に影響を及ぼすように形成され得る。体液サンプルと試薬との間の反応は、溶液に物質を形成するために、又は体液サンプルの細胞が試薬の物質と反応することを可能にするために使用され得る。マイクロチャネル（１０３）は、物質間の拡散の速度および時間に影響を及ぼすために体液サンプルと試薬との間の接触を強化する又は阻止するように形成され得る。体液サンプルと試薬との間の拡散の増加は、物質間の反応を増加させることができ、それにより診断カセット（１００）の能力を強化して正確な測定値を得ることができる。
【００２９】
また、マイクロチャネル（１０３）は、体液サンプルと試薬との間の拡散の速度を変更するように形成され得る。例えば、比較的大きな直線状のマイクロチャネル（１０３）は、拡散を強化するために形状の変化がたくさんあるように設計された、より小さいマイクロチャネル（１０３）と同じ拡散速度を観測することはできない。マイクロチャネル（１０３）自体のサイズが拡散を促進することができ、及び／又はマイクロチャネル（１０３）の変化により溶液の粒子および細胞が異なる速度で拡散することができる。
【００３０】
マイクロチャネル（１０３）は、センサ（１０５）により測定される前に体液サンプルと試薬が接触する時間量を変更するために、形成されることができ、且つその長さが構築され得る。マイクロチャネルの形状および長さは、体液サンプルと試薬が有することができる反応時間量を変更するために、用途に応じてデバイス間で変更することができる。短すぎる反応時間は、溶液がセンサ（１０５）を通過する際に正確な物質が測定可能でない又は測定されないという結果になる可能性がある。長すぎる反応時間は、溶液がセンサ（１０５）を通過する際に物質の測定可能な減衰（decay：崩壊、衰弱）という結果になる可能性がある。
【００３１】
診断カセット（１００）は、体液サンプルと試薬からなる溶液中の物質を測定するために、１つのセンサ（１０５）又は複数のセンサ（１０５）を有することができる。センサ（１０５）は、溶液中の細胞のインピーダンスを測定することができる。細胞のインピーダンスのシグニチャー（痕跡）は、細胞と試薬との間の反応により変更され得る。試薬は、細胞のインピーダンスシグニチャーを強化または変更することができ、それにより測定することをより容易にする、又は類似したインピーダンスシグニチャーを必然的に備える異なるタイプの細胞を区別することをより容易にする
【００３２】
センサ（１０５）は、インピーダンスの他に、又はインピーダンスに加えて溶液の特性を検査することができる。例えば、センサ（１０５）は、細胞のサイズ、質量、密度または他のものを検出することができる。一連のセンサ（１０５）を用いて、複数の属性に基づいて溶液中の細胞を選別（分類）することができる。例えば、細胞は、特定の範囲のインピーダンス及びサイズを備える細胞が報告されるように選別およびカウントされることができるが、これら特性を共有していない他の細胞は報告されない。センサ（１０５）は、センサ（１０５）からの測定値を処理して伝えるための集積コンピュータチップ（単数または複数）を含むことができる。集積コンピュータチップ（単数または複数）は、信号を処理して計算を実行することができ、又はコンピュータポート（１０６）を介して信号を直接的に伝えることができる。
【００３３】
様々なセンサ（１０５）が、単一の診断カートリッジ（１００）内に含められ得る。様々な診断カートリッジ（１００）は、異なるタイプのセンサ（１０５）を含めることにより、個々の体液サンプル中の様々な特性を検出するように製造され得る。
【００３４】
基板（１０７）は、体液サンプルリザーバ（１０１）、試薬リザーバ（１０２）及びセンサ（１０５）をコンピュータポート（１０６）に物理的に及び機械的に接続することができる。基板（１０７）は、センサ（１０５）とコンピュータポート（１０６）を接続するための電気配線を含むことができる。コンピュータポート（１０６）は、コンピュータデバイスとセンサ（１０５）との間の電気信号を送受信することができる。基板（１０７）は、ポンプ（１０８）とコンピュータポート（１０６）との間の電気信号を伝えることができ、それによりポンプ（１０８）の制御およびポンプ（１０８）からの測定が可能になる。
【００３５】
基板（１０７）は、様々な機能を実行するために複数の層を含むことができる。例えば、基板（１０７）は、マイクロチャネル（１０３）を形成するために３つの層を含むことができる。基板（１０７）の第１の層は、マイクロチャネル（１０３）の底部を形成することができ、基板（１０７）の第２の層は、マイクロチャネル（１０３）の壁を形成することができる。基板の第３の層は、マイクロチャネル（１０３）の上部を形成することができる。更に、基板の組み合わせは、マイクロチャネル（１０３）、体液サンプルリザーバ（１０１）及び試薬リザーバ（１０２）の様々な構成要素を形成することができる。
【００３６】
コンピュータポート（１０６）は、診断カートリッジ（１００）をコンピュータデバイスに接続することができる。コンピュータデバイスは、診断デバイス（１００）上のセンサ（１０５）から測定値を読み取ることができる。また、コンピュータデバイスは、センサ（１０５）又はポンプ（１０８）をプログラムして、診断デバイス（１００）における反応速度および測定を制御することができる。
【００３７】
コンピュータポート（１０６）は、診断カセット（１００）とコンピュータデバイスとの間に接続性を提供する、ユニバーサルシリアルバス（ＵＳＢ）、mini−ＵＳＢ、micro−ＵＳＢのようなインターフェース、又は任意の他のインターフェースとすることができる。コンピュータポート（１０６）は、コンピュータデバイスから診断カセット（１００）を分離するために、例えばケーブルを含む、有線インターフェースを提供することができる。また、コンピュータポート（１０６）は、電波を介した接続性のような、診断カートリッジ（１００）とコンピュータデバイスとの間にワイヤレスの非物理的な接続性を提供することができる。診断カートリッジ（１００）とコンピュータデバイスとの間のワイヤレス通信のこの例において、多数のトランシーバが診断カートリッジ（１００）とコンピュータデバイス内に配置されて、データをワイヤレスで送受信することができる。
【００３８】
診断カセット（１００）は、ハウジング（１０４）により包囲され得る。ハウジング（１０４）は、センサ（１０５）のような内部構成要素の保護を提供することができる。ハウジング（１０４）は、体液サンプルリザーバ（１０１）、試薬リザーバ（１０２）、又はそれらの組み合わせの一部または全てを形成することができる。ハウジング（１０４）は、基板（１０７）及び他の構成要素を収容するように形成され得る。更に、ハウジング（１０４）は、異なるタイプの診断検査用に組み立てられた診断カセット間の可視的および触知できる違いを示すように形成され得る。
【００３９】
ハウジング（１０４）は、審美的理由で形成され得る。ハウジング（１０４）は、操作者により診断カセット（１００）の取り扱いを向上させるように形成され得る。また、ハウジング（１０４）の形状は、サンプル、ロゴ、又は診断カセットに関係する他の情報のラベル表示を可能にすることができる。
【００４０】
図２は、本明細書で説明される原理による、診断カセット（２００）の一例の図である。診断カセット（２００）は、コンピュータデバイスへのコネクタ（２０１）又は一連のコネクタ（２０１）を含むことができる。コネクタ（２０１）は、ユニバーサルシリアルバス（ＵＳＢ）ポート又は類似の技術とすることができる。コネクタ（２０１）は、IEEE802.11（Wi-Fi）のような無線ネットワーク接続性、又はIEEE802.15.1（Bluetooth）のようなパーソナルエリアネットワークを可能にするためのインターフェース構成要素を含むことができる。コネクタ（２０１）は、基板（図１、１０７）に物理的および電気的に接続され得る。
【００４１】
診断カセット（２００）は、ハウジング（２０４）により包囲され得る。ハウジング（２０４）は、診断カセット（２００）の構成要素を保護し、診断カセット（２００）の識別または類似の目的のために診断カセット（２００）のラベル表示を可能にする働きをすることができる。
【００４２】
ハウジング（２０４）は、体液サンプルリザーバ（２０２）の方へ体液サンプルを導くための供給システム（２０３）を形成するように形作られ得る。供給システム（２０３）は、体液サンプルリザーバ（２０２）と共に単一要素として製造され得る。また、供給システム（２０３）は、体液サンプルが診断カセット（２００）の他の構成要素と接触することを防止することができる。
【００４３】
図３は、本明細書で説明される原理の一例による、マイクロ流体検査用の診断カセット（３００）のブロック図である。診断カセットは、処理されるべき体液サンプルを受容するための体液サンプルリザーバ（３０１）を含むことができる。体液サンプルリザーバは、供給システム（図２、２０３）に流体結合され得る。体液サンプルリザーバ（３０１）へ入れられた体液サンプルは、ポンプ（３０９）により生じた吸引力によってチャネル（３０６）を通る体液サンプル流れ（３０３）を生じることができる。
【００４４】
同様に、試薬が試薬リザーバ（３０２）に格納または加えられ得る。試薬リザーバ（３０２）は、製造時に満たされ得るか、又は診断カセット（３００）が使用される時の近くで満たされ得る。試薬は、ポンプ（３０９）により生じた吸引力によってチャネル（３０６）を通る試薬流れ（３０４）を生じることができる。
【００４５】
体液サンプル流れ（３０３）及び試薬流れ（３０４）は、溶液を作成するためにチャネル（３０６）において互いに接触することができる。次いで、溶液は、チャネル（３０６）を通る溶液流れ（３０５）で吸い出され得る。チャネル（３０６）のサイズと形状は、溶液流れ（３０５）における拡散の速度に影響を及ぼすように構築され得る。例えば、より小さいチャネル（３０６）は、溶液流れ（３０５）において体液サンプルと試薬との間でより大きい拡散速度をもたらすことができる。より大きいチャネル（３０６）は、溶液流れにおいて体液サンプルと試薬との間でより低い拡散速度を可能にすることができる。
【００４６】
更に、チャネル（３０６）は、溶液流れ（３０５）における粒子間の拡散と反応に影響を及ぼすように形作られ得る。チャネル（３０６）は、チャネル（３０６）を通る溶液流れ（３０５）を制限または妨げるための微細構造体（３０７）を含むことができる。微細構造体（３０７）は、チャネル（３０６）を長くし、溶液内での反応および拡散のためのより多くの時間を可能にすることができる。また、微細構造体（３０７）により、溶液中の細胞および粒子が、溶液流れ（３０５）においてそれらの経路を変更することができ、体液サンプルと試薬の拡散を更に向上させる。
【００４７】
チャネル（３０６）は、複数のチャネル（３０６ａ、３０６ｂ）へ分割され得る。診断カセット（３００）は、多数のセンサ（３０８）を有することができる。複数のチャネル（３０６ａ、３０６ｂ）により、より多くのセンサ（３０８）が溶液を検査することを可能にすることができる。センサ（３０８）は、溶液の同じ特性に関して検査することができるか、又は溶液の異なる特性を検査することができる。センサは、溶液の全て又は一部を検査するためにチャネル（３０６）じゅうに配置され得る。更に、センサ（３０８）は、直列的（連続的）に又は並行に広がるように配置され得る。
【００４８】
冗長なセンサ（３０８）は、個々のセンサの故障を許容しながら依然として診断カセット（３００）が体液サンプルの特性を正確に測定することを可能にするために、デバイスに配置され得る。また、冗長なセンサ（３０８）を用いて、測定値を比較し、測定値の軽微なバラツキを改善することができる。複数のセンサ（３０８）から得られたデータを平均化することにより、より正確な測定値が提供され得る。
【００４９】
センサ（３０８）は、センサ（３０８）とコンピュータデバイスとの間で通信するために、回路により、又は類似の方法によりコンピュータポート（図２、２０１）に直接的に接続され得る。センサ（３０８）は、コンピュータデバイスにより付勢され得る。また、センサ（３０８）は、センサ（３０８）が観測した測定値に関してコンピュータデバイスへ伝達を行うことができる。
【００５０】
センサ（３０８）は、溶液中の細胞を選別するための他の構成要素と組み合わせて使用され得る。センサ（３０８）を用いて、溶液中の構成物質または細胞の選別用の機械的装置を制御することができる。センサ（３０８）を用いて、溶液中の構成物質または細胞を移動させる又はそれらの移動を阻止するために構成要素を制御することができる。
【００５１】
ポンプ（３０９）は、体液サンプル流れ（３０３）、試薬流れ（３０４）、溶液流れ（３０５）又はそれらの組み合わせのような、流体の流れを容易にするために、診断カセット（３００）内で使用され得る。ポンプ（３０９）の一例は、サーマルインクジェット技術として知られているデバイスである。ポンプ（３０９）は、チャネル（３０６）から流体を移動させることにより、吸引力を生じさせることができる。また、ポンプ（３０９）は、流体を移動させるための圧力を発生するために診断カセット（３００）の他の箇所に配置されてもよい。例えば、圧力を発生させるポンプ（３０９）は、体液サンプルリザーバ（３０１）及び／又は試薬リザーバ（３０２）に配置され得る。ポンプ（３０９）は機械的に溶液を移動させてもよい。
【００５２】
図４は、検出電極（４０４）を有するセンサ（図１、１０５）を細胞（４０２）が通過する状態のセンサ（４０４）を示すセンサ図（４００）の一例である。センサ（図１、１０５）の代替の例が、診断カセット（図１、１００）に使用され得る。検出電極（４０４）は、検出電極（４０４）と接地電極（４０３）との間の電界（４０１）を検出することができる。検出電極（４０４）は、細胞（４０２）が電界（４０１）を通過する際に、細胞（４０２）の特質を検出するために電界（４０１）の変動（変化）を検出することができる。電界（４０１）は細胞（４０２）の特性に基づいて、曲がる又は変化することができる。変化した電界（４０１ａ）は、検出電極（４０４）により検出され得る。電界（４０１）の変化は、細胞（４０２）の特定の特質を示すことができる。
【００５３】
センサ（図１、１０５）は、単一の検出電極（４０４）を有するように構築され得るか、又は複数の検出電極（４０４）を有するように構築され得る。同様に、センサ（図１、１０４）は、単一の接地電極（４０３）又は複数の接地電極（４０３）を有するように構築され得る。
【００５４】
検出電極（４０４）は、検出電極（４０４）と接地電極（４０３）との間に電界（４０１）を発生する電荷を有することができる。電界（４０１）は、定常状態を呈することができ、それにより検出電極（４０４）が電界（４０１）の変動を検出することが可能になる。例えば、検出電極は、インピーダンスを検出することができ、細胞（４０２）が電界（４０１）を通過する際に電界が曲げられ（４０１ａ）、インピーダンスに変動が生じる。次いで、検出電極（４０４）は、インピーダンスの変動を診断カセットの他の構成要素へ伝えることができる。
【００５５】
電界（４０１）は直進とすることができ、又は任意の数の方向に変化することができる。電界（４０１）は、方向、形状、又は密度において変化することができる。電界（４０１）を用いて、センサ（図１、１０５）を通過する際にインピーダンス、又は溶液の抵抗を検出することができる。局所化された電界（４０１）は、微細加工電極（４０３、４０４）により生成され得る。
【００５６】
図５は、センサ（図１、１０５）による、時間（５０２）にわたるインピーダンス（５０１）の測定値のグラフ（５００）を表す。垂直軸（５０１）は、均等目盛りにおいて、増加するインピーダンスを表す。水平軸（５０２）は、均等目盛りにおいて、時間を表す。水平軸（５０２）から垂直軸の正の方向に遠く離れる点は、より大きなインピーダンスの測定値を表す。垂直軸（５０１）から遠く離れる、水平軸に沿った遠くの点は、時間的により遅い測定値を表す。
【００５７】
インピーダンスの測定値は、最初の測定値（５０３）から始まり、それは比較的低い量のインピーダンスを示している。細胞（図４、４０２）が電界（図４、４０１）を通過する際、それは変化した電界（図４、４０１ａ）を生じさせることができる。当該変化した電界（図４、４０１ａ）は、インピーダンスの測定値において最初の測定値（５０３）に対して比較的高いインピーダンス（５０４）（即ち、相対インピーダンスが高い）までの増加により、検出され得る。
【００５８】
インピーダンス測定値は、多数の要因に起因して最初の測定値（５０３）に対して比較的低いインピーダンス（５０５）（即ち、相対インピーダンスが低い）まで降下することができる。比較的低いインピーダンス（５０５）は、溶液流れ（図３、３０５）のバラツキにより、センサ（図１、１０５）を通過する異なるタイプの細胞により、センサ（図１、１０５）を通過する複数の細胞（図４、４０２）により、及びセンサ（図１、１０５）の測定領域から出る単一の細胞により細胞（図４、４０２）が電界（図４、４０１）内の何処に存在するかによって、細胞（図４、４０２）の形状のバラツキによって、又はそれらの組み合わせによって生じる可能性がある。
【００５９】
インピーダンス測定値は、絶対値の最大インピーダンス（５０６）（即ち、絶対値のインピーダンス最大値）まで増加することができる。この絶対値の最大インピーダンス（５０６）は、センサ（図１、１０５）を通過する細胞（図４、４０２）により生じる可能性がある。次いで、細胞（図４、４０２）の存在は、センサによって、又はコンピュータポート（図１、１０６）により接続されたコンピュータデバイスによって処理され得る。細胞（図４、４０２）がセンサ（図１、１０５）を通過した後、検出電極（図４、４０４）により測定されたインピーダンスのレベルは、比較的定常状態のレベル（５０７）まで戻ることができる。
【００６０】
細胞（図４、４０２）が絶対値の最大インピーダンス（５０６）を生じさせることができるが、異なる細胞（図４、４０２）は測定されるインピーダンスを減少させて、絶対値の最大インピーダンス（５０６）を生じさせることができる。センサ（図１、１０５）の別の例は、絶対値の最大インピーダンス（５０６）ではなくて、絶対値の最小インピーダンス（即ち、絶対値のインピーダンス最小値）を測定することができる。
【００６１】
図６は、診断カセット（図１、１００）においてインピーダンスを測定するために使用されるセンサ（６００）の一例を表す。センサ（６００）は、検出電極（６０４）と接地電極（６０３）を横切って溶液流れ（６０５）を吸い込むための吸引力を生じさせるためのポンプ（６０９）を含むことができる。溶液流れ（６０５）が検出電極（６０４）を通過する際、検出され得る電界（図４、４０１）の変動を生じることができる。
【００６２】
ポンプ（６０９）は、例えば溶液を検出電極（６０４）及び接地電極（６０３）を通過させて吸い込む真空を生じさせるサーマルインクジェットポンプのようなデバイスとすることができる。検出電極（６０４）を通過して吸い込まれる溶液中の細胞（図４、４０２）の動きは、変化した電界（図４、４０１ａ）を生じさせることができる。変化した電界（図４、４０１ａ）における変動を測定することにより、細胞（図４、４０２）の特性がセンサ（図１、１０５）により計算され得る。センサは、溶液中の細胞（図４、４０２）の特質を測定するためにチャネル（図３、３０６）に沿った様々な箇所に配置され得る。
【００６３】
図７は、マイクロ流体サンプルを測定するための方法（７００）を表す。方法は、測定されるべき体液サンプルをリザーバ内に受容する（ブロック７０１）ことを含むことができる。方法（７００）は、溶液を作成するために体液サンプルを試薬と混合する（ブロック７０２）ことを含むことができる。方法（７００）は、チャネルを介して溶液を移動させる（ブロック７０３）ことを含むことができる。溶液がチャネルを介して移動する（ブロック７０３）際、それは多数のセンサを用いて測定される（ブロック７０４）。
【００６４】
測定されるべき体液サンプルをリザーバ内に受容すること（ブロック７０１）は、体液サンプルの一部をリザーバの中へ直接的に入れることを含むことができる。体液サンプルは、被験者から少量の体液を取り出すためのランセット又は針を用いてデバイスの中へと取得され、デバイスにより受容（ブロック７０１）され得る。
【００６５】
溶液を作成するために体液サンプルを試薬と混合する（ブロック７０２）ことは、診断カセット（図１、１００）のようなデバイスにおいて行われ得る。試薬は、体液サンプルが受容される前または後に、体液サンプルを受容するリザーバに入れられ得る。試薬は、体液サンプルを受容する前に溶液を作成するために、体液サンプルと混合（ブロック７０２）されてもよい。試薬は、チャネルを介して体液サンプルを移動させる（ブロック７０３）プロセスの一部として体液サンプルと混合され得る。
【００６６】
チャネルを介して溶液を移動させる（ブロック７０３）ことは、溶液をチャネルの一端部の方へ吸い出すための吸引力を作成するための、チャネルの一端部またはチャネル内にあるポンプを用いることにより、達成され得る。また、溶液を移動させる（ブロック７０３）ことは、圧力を生じさせてチャネルの一端部から離れるように溶液を移動させるためにチャネルの一端部またはチャネル内にポンプを配置することにより、達成され得る。
【００６７】
チャネルは、溶液の流れを制御するために使用され得る。当該制御により、制限された量の溶液がセンサを通過することを可能にすることができる。また、当該制御は、体液サンプルと試薬との間のより大きな混合を可能にし、溶液中の粒子間のより大きな拡散を生じさせることを可能にすることができる。また、当該制御は、物質間の反応が生じるための時間を可能にするために、体液サンプルと試薬の混合間に遅延を生じさせることができる。
【００６８】
溶液がチャネルを介して移動（ブロック７０３）している際、診断カセット（１００）は、溶液の特質を検出するために、センサを用いて溶液を測定する（ブロック７０４）。当該測定（ブロック７０４）は、単一のセンサ又は複数のセンサを用いて行われ得る。センサは、直列的（連続的）に配置され得るか、又は並列（並行）に配置され得る。センサは冗長にすることができ、それにより溶液の同じ部分を繰り返し測定することが可能になる。
【００６９】
図８は、本明細書で説明された原理の一例による、体液サンプルのパラメータを測定するためのコンピュータデバイスを表す。体液サンプルのパラメータを測定するためのコンピュータデバイス（８００）は、電子デバイスにおいて実現され得る。電子デバイスの例には、数ある電子デバイスの中でも特に、サーバ、デスクトップコンピュータ、ノート型コンピュータ、携帯情報端末（ＰＤＡ）、モバイル機器、スマートフォン、ゲーム機、及びタブレットが含まれる。
【００７０】
コンピュータデバイス（８００）は、独立型ハードウェア、モバイルアプリケーション、コンピューティングネットワーク、又はそれらの組み合わせを含む任意のデータ処理状況において利用され得る。更に、コンピュータ（８００）は、コンピューティングネットワーク、公衆クラウドネットワーク、プライベートクラウドネットワーク、ハイブリッドクラウドネットワーク、他の形態のネットワーク、又はそれらの組み合わせにおいて使用され得る。一例において、コンピュータデバイス（８００）により提供される方法は、例えばサードパーティにより、ネットワークを介してサービスとして提供される。この例において、サービスは、例えば以下のことを含むことができる、即ち、多数のアプリケーションをホスティングするサービス型ソフトウェア（Software as a Service：SaaS）；例えば数ある中で特にオペレーティングシステム、ハードウェア及び記憶装置を含むコンピュータプラットフォームをホスティングするサービス型プラットフォーム（Platform as a Service：PaaS）；例えば数ある中で特にサーバ、記憶コンポーネント、ネットワーク、及びコンポーネント（構成要素）のような装置をホスティングするサービス型インフラストラクチャー（Infrastructure as a Service：IaaS）；サービス型アプリケーションプログラミングインターフェース（ＡＰＩ）（Application program interface as a Service：APIaaS）；他の形態のネットワークサービス、又はそれらの組み合わせである。本システムは、システムのモジュールが１つのプラットフォームで又は複数のプラットフォームにわたって実行され得る、１つ又は複数のハードウェアプラットフォームで実現され得る。係るモジュールは、様々な形態のクラウド技術およびハイブリッドクラウド技術で動作することができ、又はクラウド上で又はクラウドから離れて実現され得るSaaS（サービス型ソフトウェア）として提供され得る。別の例において、コンピュータデバイス（８００）により提供される方法は、ローカルアドミニストレータにより実行される。
【００７１】
その所望の機能性を達成するために、コンピュータデバイス（８００）は、様々なハードウェア構成要素を含む。これらハードウェア構成要素の中で、多数のプロセッサ（８０１）、多数のデータ記憶デバイス（８０２）、多数の周辺機器アダプター（８０４）、及び多数のネットワークアダプター（８０３）が存在することができる。これらハードウェア構成要素は、多数のバス及び／又はネットワーク接続の使用を通じて相互接続され得る。一例において、プロセッサ（８０１）、データ記憶デバイス（８０２）、周辺機器アダプター（８０４）、及びネットワークアダプター（８０３）は、バス（８０５）を介して通信可能に結合され得る。
【００７２】
プロセッサ（８０１）は、データ記憶デバイス（８０２）から実行コードを読み出して当該実行コードを実行するためのハードウェアアーキテクチャを含むことができる。実行コードは、プロセッサ（８０１）により実行される際に、本明細書で説明された本明細書の方法に従って、診断カセット（８１４）から得られたデータを少なくとも処理する機能性をプロセッサ（８０１）に実現させることができる。コードを実行している間に、プロセッサ（８０１）は、多数の残りのハードウェアユニットから入力を受け取り、係るハードウェアユニットへ出力を供給することができる。
【００７３】
データ記憶デバイス（８０２）は、プロセッサ（８０１）又は他の処理デバイスにより実行される実行可能プログラムコードのようなデータを格納することができる。説明されるように、データ記憶デバイス（８０２）は特に、プロセッサ（８０１）が少なくとも本明細書で説明された機能性を実現するために実行する多数のアプリケーションに相当するコンピュータコードを格納することができる。
【００７４】
データ記憶デバイス（８０２）は、揮発性および不揮発性メモリを含む、様々なタイプのメモリモジュールを含むことができる。例えば、本例のデータ記憶デバイス（８０２）は、ランダムアクセスメモリ（ＲＡＭ）（８０６）、読み出し専用メモリ（ＲＯＭ）（８０７）及びハードディスクドライブ（ＨＤＤ）記憶装置（８０８）を含む。また、多くの他のタイプのメモリが使用されることができ、本明細書は、本明細書で説明された原理の特定のアプリケーションに適合することができるようなデータ記憶デバイス（８０２）の多くの様々なタイプ（単数または複数）のメモリの使用を意図している。特定の例において、データ記憶デバイス（８０２）の異なるタイプのメモリは、異なるデータ記憶のニーズに使用され得る。例えば、特定の例において、プロセッサ（８０１）は、読み出し専用メモリ（ＲＯＭ）（８０７）からブートし、ハードディスクドライブ（ＨＤＤ）記憶装置（８０８）に不揮発性記憶を維持し、ランダムアクセスメモリ（ＲＡＭ）（８０６）に格納されたプログラムコードを実行することができる。
【００７５】
一般に、データ記憶デバイス（８０２）は、数ある中でも特に、コンピュータ可読媒体、コンピュータ可読記憶媒体、又は持続性コンピュータ可読媒体を含むことができる。例えば、データ記憶デバイス（８０２）は、以下に限定されないが、電子的、磁気的、光学的、電磁気的、赤外線、又は半導体システム、装置またはデバイス、或いは上記の任意の適切な組み合わせとすることができる。コンピュータ可読記憶媒体のより具体的な例は例えば、以下のものを含むことができ、即ち、多数のワイヤを有する電気接続、携帯型コンピュータディスケット、ハードディスク、ランダムアクセスメモリ（ＲＡＭ）、読み出し専用メモリ（ＲＯＭ）、消去可能ＰＲＯＭ（ＥＰＲＯＭ又はフラッシュメモリ）、携帯型ＣＤ−ＲＯＭ、光学記憶装置、磁気記憶装置、又は上記の任意の適切な組み合わせである。本明細書の文脈において、コンピュータ可読記憶媒体は、命令実行システム、装置またはデバイスにより又はそれらに関連して使用するためのコンピュータ使用可能プログラムコードを包含または格納することができる任意の有形媒体とすることができる。別の例において、コンピュータ可読記憶媒体は、命令実行システム、装置またはデバイスにより又はそれらに関連して使用するためのプログラムを包含または格納することができる任意の持続性媒体とすることができる。
【００７６】
コンピュータデバイス（８００）のハードウェアアダプター（８０３、８０４）により、プロセッサ（８０１）が、コンピュータデバイス（８００）の外部および内部の様々な他のハードウェア要素と接続して機能することが可能になる。例えば、周辺機器アダプター（８０４）は、例えばディスプレイ装置（８０９）、マウス、キーボード又は診断カセット（８１４）のような入力／出力デバイスにインターフェースを提供することができる。また、周辺機器アダプター（８０４）は、外部記憶デバイスのような他の外部デバイス、例えばサーバ、スイッチ（切替装置）、及びルータのような多数のネットワークデバイス、クライアント装置、他のタイプのコンピュータデバイス、及びそれらの組み合わせへのアクセスを提供することができる。
【００７７】
ディスプレイ装置（８０９）は、コンピュータデバイス（８００）のユーザがコンピュータデバイス（８００）の機能性と相互作用し且つその機能性を実現することを可能にするために設けられ得る。また、周辺機器アダプター（８０４）は、プロセッサ（８０１）とディスプレイ装置（８０９）、プリンタ又は他の媒体出力装置との間にインターフェースを形成することができる。ネットワークアダプター（８０３）は、例えばネットワーク内の他のコンピュータデバイスにインターフェースを提供することができ、それによりコンピュータデバイス（８００）とネットワーク内に位置する他のデバイスとの間でデータの伝送が可能になる。
【００７８】
コンピュータデバイス（８００）は、プロセッサ（８０１）により実行された際、データ記憶デバイス（８０２）に格納された多数のアプリケーションに相当する実行可能プログラムコードに関連した多数のグラフィカルユーザインターフェース（ＧＵＩ）をディスプレイ装置（８０９）に表示することができる。ＧＵＩは、体液サンプルの特性から取られる測定を含む、実行コードの態様を含むことができる。ＧＵＩは例えば、特定の特質を備える特定タイプの細胞の総数を表示することができる。更に、ディスプレイ装置（８０９）のＧＵＩ上での多数の相互作用的な仕草を行うことを介して、ユーザは体液サンプルの他の粒子の特性に関する追加の情報を表示することができる。ディスプレイ装置（８０９）の例には、数あるディスプレイ装置（８０９）の中で特に、コンピュータ画面、ノートパソコンの画面、モバイル機器の画面、携帯情報端末（ＰＤＡ）の画面、及びタブレットの画面が含まれる。ディスプレイ装置（８０９）に表示されるＧＵＩの例は、以下でより詳細に説明される。
【００７９】
コンピュータデバイス（８００）は更に、体液サンプルの特性を測定する具現化形態において使用される多数のモジュールを含む。コンピュータデバイス（８００）内の様々なモジュールは、別々に実行され得る実行可能プログラムコードからなる。この例において、様々なモジュールは、別個のコンピュータプログラム製品として格納され得る。別の例において、コンピュータデバイス（８００）内の様々なモジュールは、多数のコンピュータプログラム製品内で組み合わせられることができ、各コンピュータプログラム製品は多数のモジュールを構成する。
【００８０】
コンピュータデバイス（８００）は、プロセッサ（８０１）により実行された際、体液サンプルが診断デバイスのチャネルを介して循環されることを可能にするためのポンピングモジュール（８１０）を含むことができる。ポンピングモジュール（８１０）により、体液サンプルと試薬からなる溶液が診断カセット（８１４）のチャネルを通過する。ポンピングにより生じる圧力量を制御することにより、体液サンプルと試薬との間の拡散および反応を可能にする時間が設定され得る。
【００８１】
コンピュータデバイス（８００）は、プロセッサ（８０１）により実行された際、試薬と体液サンプルを拡散する拡散モジュール（８１１）を含むことができる。拡散は、体液サンプルと試薬からなる溶液中の粒子の移動を生じさせるために、ポンプを制御することにより行われ得る。拡散は、溶液が通過するチャネルの物理的特性により、更に容易にされ得る。
【００８２】
コンピュータデバイス（８００）は、プロセッサ（８０１）により実行される際、体液サンプルと試薬からなる溶液中の粒子の特性を測定する測定モジュール（８１２）を含むことができる。測定は、単一のセンサ又は複数のセンサを必要とすることができる。センサは、溶液の単一の特質または複数の特質を測定することができる。
【００８３】
測定モジュール（８１２）内の測定値に基づいて、計算モジュール（８１３）は、データで計算を行い、ディスプレイ装置（８０９）を介してデータをユーザに呈示することができる。計算は、多数のセンサの測定値を加算、多数のセンサの測定値を比較、多数のセンサの測定値を平均化のようなプロセスを含むことができ、又は理解されて決定を下すことができるユーザに数値を呈示するために、何らかの多数の数値的解析が実行され得る。
【００８４】
本システム及び方法の態様が、本明細書に説明された原理の例による方法、装置（システム）及びコンピュータプログラム製品の流れ図および／またはブロック図に関連して本明細書で説明された。流れ図およびブロック図の各ブロック、及び流れ図およびブロック図のブロックの組み合わせは、コンピュータ使用可能プログラムコードにより実現され得る。コンピュータ使用可能プログラムコードは、汎用コンピュータ、専用コンピュータ、又は他のプログラム可能データ処理装置のプロセッサに供給されて、マシンをもたらし、その結果、例えばコンピュータデバイス（８００）又は他のプログラム可能データ処理装置のプロセッサ（８０１）を介して実行される際に、当該コンピュータ使用可能プログラムコードは、流れ図および／またはブロック図のブロック（単数または複数）で指定された機能または動作を実現する。一例において、コンピュータ使用可能プログラムコードは、コンピュータ可読記憶媒体内に組み入れられることができ、当該コンピュータ可読記憶媒体は、コンピュータプログラム製品の一部である。一例において、コンピュータ可読記憶媒体は、持続性コンピュータ可読媒体である。
【００８５】
前述の説明は、説明される原理の例を例示および説明するために与えられた。本説明は、網羅的にすること又はこれら原理を開示された何らかの全く同一の形態に制限することを意図されていない。多くの変更および変形が上記の教示に鑑みて可能である。
【図１】
2017520776.tif 000003
【図２】
2017520776.tif 000004
【図３】
2017520776.tif 000005
【図４】
2017520776.tif 000006
【図５】
2017520776.tif 000007
【図６】
2017520776.tif 000008
【図７】
2017520776.tif 000009
【図８】
2017520776.tif 000010
【国際調査報告】
2017520776.tif 000011
2017520776.tif 000012
2017520776.tif 000013